(57)【要約】【課題】簡単かつ有効に施工することができる貫通部用防火処理具、及び、建築物における貫通部の防火処理構造を提供する。【解決手段】合成樹脂製の密封袋１１の中に、膨張黒鉛を含有した膨張体１２を減圧による圧縮状態で密封し、全体としてシート状に形成したものを防火処理具１０とした。そして、建築物の壁等に設けられた貫通孔と、この貫通孔に挿通された配管との間の隙間に、この防火処理具１０を配管に巻回した状態で挿入し、この状態で密封袋１１の中に空気を導入して膨張体１２を膨張させることにより隙間を埋めるようにした。なお、膨張体１２は、その自然状態において、配管が消失した状態の貫通孔を埋める容積を有している。【選択図】図１
2007224665.tif 000002
【特許請求の範囲】
【請求項１】
合成樹脂製の密封袋の中に、難燃処理した膨張体を減圧による圧縮状態で密封し、全体としてシート状に形成したことを特徴とする貫通部用防火処理具。
【請求項２】
前記膨張体は、その自然状態において貫通部の貫通孔を埋める容積を有していることを特徴とする請求項１に記載の貫通部用防火処理具。
【請求項３】
前記膨張体は、膨張黒鉛を含有したポリウレタン発泡体であることを特徴とする請求項１又は請求項２に記載の貫通部用防火処理具。
【請求項４】
建築物の壁部に設けられた貫通孔と、同貫通孔に挿通された配管との間の隙間に、請求項１〜請求項３のいずれか一項に記載の貫通部用防火処理具を同配管に巻回した状態で挿入し、この状態で前記密封袋の中に空気を導入して前記膨張体を膨張させることにより前記隙間を埋めたことを特徴とする建築物における貫通部の防火処理構造。
【請求項５】
前記密封袋内への空気の導入は、同密封袋の一部を開放することにより行われることを特徴とする請求項４に記載の建築物における貫通部の防火処理構造。
【発明の詳細な説明】
【技術分野】
【０００１】
この発明は、建築物の壁や床等に設けられ、給水管や配電管等の配管を挿通させる貫通孔の防火処理に用いられる貫通部用防火処理具、及び、建築物における貫通部の防火処理構造に関するものである。
【背景技術】
【０００２】
建築物において防火区画とされた壁や床に、給水管や配電管等の配管が通る貫通孔を設けた場合には、この貫通孔を通じた煙の流通や延焼、また、給水管や配電管を媒介とした延焼を防止するための防火処理を貫通部に施す必要がある。
【０００３】
従来、このような防火処理に用いられる貫通部用防火処理具として、例えば特許文献１に記載された防火処理用パッドがある。この防火処理用パッドは、図４（ａ），（ｂ）に示すように、ポリエチレン等の合成樹脂からなる袋４０の内部に、熱膨張性又は非熱膨張性のペースト状耐火材４１を封入したものである。この防火処理用パッドを施工するには、給水管等にこのパッドを巻き回し、この状態のままパッドを貫通孔内の隙間に押し込む。そして、貫通孔内において、貫通孔の内周面と給水管の外周面との間の隙間に合わせてパッドを変形させ、隙間を埋めるようにする。
【０００４】
また、特許文献２に記載された耐火充填材は、難燃性ゴム、含水ケイ酸ソーダを主成分とする粘土状のものであって、平板シート状に成形されている。この耐火充填材を施工するには、まず、耐火充填材をロール状に巻き回す。次に、図５に示すように、壁Ｗの貫通孔に装着された筒体５０の内周面と、この筒体５０に挿通された電線管５１の外周面との間の隙間に、耐火充填材のロール体５２を複数押し込んで隙間を塞ぐ。
【特許文献１】特開２００５−７３３５７号公報
【特許文献２】特開２００６−１６９６７号公報
【発明の開示】
【発明が解決しようとする課題】
【０００５】
しかしながら、上記特許文献１に記載の防火処理用パッドを施工する際には、貫通孔と給水管との間の狭い隙間に、柔軟性のあるパッドを隙間ができないように押し込まなければならない。このため、施工が面倒であり、作業に長い時間を要する問題があった。特に、モルタル等の壁に設けられた貫通孔の内周面には角や突起が形成されているので、これらの角や突起にパッドが引っかかり易く、施工が難しかった。さらに、貫通孔に対してパッドをうまく押し込むことができないので、貫通孔とパッドとの間に隙間ができやすく、防火処理を有効に行うことができないことがあった。また、上記特許文献２に記載の耐火充填材を施工する際にも、特許文献１のものと同様な問題があった。
【０００６】
この発明の目的は、簡単かつ有効に施工することができる貫通部用防火処理具、及び、建築物における貫通部の防火処理構造を提供することにある。
【課題を解決するための手段】
【０００７】
上記目的を達成するため、請求項１に記載の発明は、合成樹脂製の密封袋の中に、難燃処理した膨張体を減圧による圧縮状態で密封し、全体としてシート状に形成したことを特徴とする。
【０００８】
請求項２に記載の発明は、請求項１に記載の発明において、前記膨張体は、その自然状態において貫通部の貫通孔を埋める容積を有していることを特徴とする。
請求項３に記載の発明は、請求項１又は請求項２に記載の発明において、前記膨張体は、膨張黒鉛を含有したポリウレタン発泡体であることを特徴とする。
【０００９】
請求項４に記載の発明は、請求項１〜請求項３のいずれか一項に記載の発明において、建築物の壁部に設けられた貫通孔と、同貫通孔に挿通された配管との間の隙間に、請求項１〜請求項３のいずれか一項に記載の貫通部用防火処理具を同配管に巻回した状態で挿入し、この状態で前記密封袋の中に空気を導入して前記膨張体を膨張させることにより前記隙間を埋めたことを特徴とする。
【００１０】
請求項５に記載の発明は、請求項４に記載の発明において、前記密封袋内への空気の導入は、同密封袋の一部を開放することにより行われることを特徴とする。
（作用）
請求項１〜請求項５に記載の発明によれば、例えば建築物の壁や床等の貫通孔と、この貫通孔に挿通された配管との間の隙間に、シート状の防火処理具を配管に巻回した状態で挿入し、この状態で密封袋の内部に空気を導入すると、圧縮状態の膨張体が膨張して同隙間を埋める。この結果、配管が膨張体によって巻回された状態で、配管と貫通孔との間の隙間が膨張体によって塞がれる。このとき、防火処理具は、シート状であることから、貫通孔の角や突起に殆ど引っ掛かることなく、両者間の隙間に容易に入り込む。従って、上記特許文献１，２に記載の防火処理具とは異なり、貫通孔と配管との間の隙間にペースト状又は粘土状のものを押し込むような作業が不要となるので、簡単に施工することができる。また、挿入後に膨張する防火処理具により、貫通孔の内周面と配管との間の隙間が有効に塞がれる。従って、特許文献１，２に記載の防火処理具とは異なり、貫通孔の内周面と配管との間に隙間ができにくいので、有効に施工することができる。
【００１１】
請求項２に記載の発明によれば、請求項１に記載の発明の作用に加えて、壁等の貫通孔に挿通されている配管が火災により消失したときに、圧縮状態から解放された膨張体によって貫通孔が塞がれる。このため、配管の消失状態において、貫通孔を通じた煙の流通や延焼が防止される。
【発明の効果】
【００１２】
この発明によれば、簡単かつ有効に施工することができる貫通部用防火処理具、及び、建築物における貫通部の防火処理構造を提供することができる。
【発明を実施するための最良の形態】
【００１３】
次に、この発明を具体化した一実施形態について図１〜図３を用いて説明する。
図１に示すように、貫通部用防火処理具（以下、単に防火処理具という。）１０は、密封された合成樹脂製の密封袋１１を有し、この密封袋１１の中には、難燃処理された膨張体１２が減圧による圧縮状態で密封されている。そして、施工前の防火処理具１０は、全体としてシート状に形成されている。
【００１４】
密封袋１１は、例えば厚さ３０μｍのポリエチレン樹脂からなり、図１（ａ）に示すように、両側に膨らみ代１３が形成された略長方形のシート状に形成されている。そして、密封袋１１は、両膨らみ代１３によって、図１（ｂ）に示すような略偏平直方体形状に膨らみ、膨張体１２を圧縮状態から解放するようになっている。
【００１５】
前記膨張体１２は、例えば膨張黒鉛を含有したポリウレタン発泡体からなる。このポリウレタン発泡体は、ポリオール、水、触媒、膨張黒鉛等の混合物と、ポリイソシアネートとを混合、攪拌及び吐出することによって得られたポリウレタン発泡体スラブから裁断されたものである。膨張黒鉛としては、天然黒鉛、キュシュ黒鉛、熱分解黒鉛等の高度に結晶が発達した黒鉛が用いられている。
【００１６】
次に、上記のように構成された防火処理具の作用について説明する。
この防火処理具１０を施工するには、まず、図２（ａ）に示すように、例えば建築物の壁Ｗ（壁部）と貫通孔２０に挿通された給水管等の配管２１に対し、シート状の防火処理具１０を巻き回す。
【００１７】
次に、図２（ｂ），（ｃ）に示すように、配管２１に巻き回した状態のままの防火処理具１０を、貫通孔２０と配管２１との間の隙間に挿入する。このとき、防火処理具１０は、シート状であることから、貫通孔２０の内周面の角や突起、また、配管２１の外周面に殆ど引っ掛かることなく両者間の隙間に容易に入り込む。そして、貫通孔２０の内周面と配管２１の外周面との間の隙間に挿入されたシート状の防火処理具１０は、図３（ａ），（ｂ）に示すように、配管２１を囲むように配置される。
【００１８】
次に、隙間に挿入された防火処理具１０の密封袋１１の一部を、例えばカッターナイフによって穴を開けることで開放させ、密封袋１１内に空気を導入させる。すると、膨張体１２が圧縮状態から解放され、図３（ｃ）に示すように、膨張した防火処理具１０により隙間が埋められる。この結果、配管２１に膨張体１２が巻回された状態で、配管２１と貫通孔２０との間の隙間が膨張体１２によって塞がれる。このとき、貫通孔２０に挿入された状態で膨張した膨張体１２により、貫通孔２０の内周面と配管２１との間の隙間が有効に塞がれる。
【００１９】
非火災時においては、貫通孔２０と配管２１との間の隙間を埋めた膨張体１２の振動吸収作用により、配管２１を通る水の脈動やウォータハンマ等による配管２１の振動が吸収され、貫通孔２０が設けられた壁等の共振が抑制される。
【００２０】
また、火災時においては、貫通孔２０と配管２１との間の隙間を埋めた膨張体１２中の膨張黒鉛の難燃性により、貫通孔２０を通じた延焼が防止される。また、膨張体１２は、配管２１が火災によって消失していくにつれ、ポリウレタン発泡体の弾性と、膨張黒鉛の膨張とによって徐々に膨張する。そして、図３（ｄ）に示すように、配管２１が消失した状態においては、膨張した膨張体１２によって貫通孔２０全体が塞がれた状態となり、貫通孔２０を通じた煙の流通や延焼が防止される。すなわち、膨張体１２は、その自然状態において貫通孔２０を埋める容積を有している。さらに、膨張体１２が燃焼炭化しても膨張黒鉛によって膨張体１２の形状が保持され、膨張体１２により貫通孔２０が塞がれた状態が維持される。このため、膨張体１２が燃焼炭化した状態においても、貫通孔２０を通じた煙の流通や延焼が防止される。
【００２１】
以上のように構成されたこの実施形態には、以下の各効果がある。 
（１）  合成樹脂製の密封袋１１の中に、難燃処理した膨張体１２が減圧による圧縮状態で密封されたシート状の防火処理具１０を、配管２１に巻回した状態で貫通孔２０と配管２１との間の隙間に挿入する。そして、この状態で密封袋１１の内部に空気を導入し、膨張体１２を膨張させることによって隙間を塞ぐようにした。このとき、防火処理具１０は、シート状であることから、貫通孔２０の内周面の角や突起、また、配管２１に殆ど引っ掛かることなく両者間の隙間に容易に挿入される。従って、前記特許文献１，２に記載の防火処理具とは異なり、貫通孔２０と配管２１との間の隙間にペースト状又は粘土状のものを押し込むような作業が不要となるので、簡単に施工することができる。また、挿入後に膨張する防火処理具１０により、貫通孔２０の内周面と配管２１との間の隙間が有効に塞がれる。従って、特許文献１，２に記載の防火処理具とは異なり、貫通孔２０と配管２１との間に隙間ができにくいので、有効に施工することができる。
【００２２】
（２）  膨張体１２は、その自然状態において貫通孔２０を埋める容積を有しているので、壁等の貫通孔２０に挿通されている配管２１が火災により消失したときに、圧縮状態から解放された膨張体１２によって貫通孔２０が塞がれる。このため、配管２１の消失状態において、貫通孔２０を通じた煙の流通や延焼が防止される。
【００２３】
なお、図１（ａ）に二点鎖線で示すように、密封袋１１に予め空気排出用の孔３０を形成しておき、この孔３０をシール３１によって塞いでおいてもよい。この場合には、シール３１を剥がして孔３０を開放するだけで密封袋１１内に空気を導入することができ、施工作業性が向上する。
【図面の簡単な説明】
【００２４】
【図１】（ａ），（ｂ）は共に貫通部用防火処理具を示す斜視図。
【図２】（ａ），（ｂ），（ｃ）はいずれも貫通部用防火処理具の施工手順を示す斜視図。
【図３】（ａ），（ｂ），（ｃ），（ｄ）はいずれも貫通部用防火処理具の施工時における貫通部を示す正面図。
【図４】（ａ）は、従来の貫通部用防火処理具を示す斜視図、（ｂ）は、（ａ）の縦断面図。
【図５】同じく設置状態の貫通部用防火処理具を示す斜視図。
【符号の説明】
【００２５】
１０…貫通部用防火処理具、１１…密封袋、１２…膨張体、１３…膨らみ代、２０…貫通孔、２１…配管、Ｗ…壁部としての壁。
【図１】
2007224665.tif 000003
【図２】
2007224665.tif 000004
【図３】
2007224665.tif 000005
【図４】
2007224665.tif 000006
【図５】
2007224665.tif 000007